(57)【要約】【課題】繰り出し容器のクリック機構について、部品を成形する上で問題なく、突起の高さを充分に確保できて、繰り出し回転操作の際に充分なクリック感が得られるようにする。【解決手段】受筒３の外側にガイド筒４が設けられ、ガイド筒４の下部の外側にネジ筒５が設けられ、ネジ筒５の外側に外装体６が設けられ、外装体６の上端部に封止筒７が固着された繰り出し容器において、そのクリック機構として、所定の抵抗を持って乗り越えるように係合する係合凸部４４ａと係合凹部７８とを、その何れか一方をガイド筒４の外周面側に、また、他方を封止筒７の内周面側に、それぞれ形成する。【選択図】図６
2010022461.tif 000002
【特許請求の範囲】
【請求項１】
棒状の内容物を保持する筒状の受筒の外周面にピンが突設され、受筒の外側に、受筒のピンを貫通させるガイド孔を下部に形成したガイド筒が設けられ、ガイド筒の下部の外側に、受筒のピンを受け入れるネジ溝を内周面に形成したネジ筒が設けられ、ネジ筒の外側に外装体が設けられ、外装体の上端部に封止筒が固着されることで容器本体が構成されている繰り出し容器において、所定の抵抗を持って乗り越えるように係合する係合凸部と係合凹部とが、その何れか一方がガイド筒の外周面側に、また、他方が封止筒の内周面側に、それぞれ形成されていることを特徴とする繰り出し容器のクリック機構。
【請求項２】
容器本体には、封止筒の外周面に形成されたネジ部での螺合によってキャップが装着され、キャップには、ガイド筒の外周面に密接するシール部分が設けられているのに対して、係合凸部と係合凹部とが所定の抵抗を持って乗り越えるようにガイド筒と封止筒とを相対回転させるときの回転トルクが、キャップの開閉時にシール部分を介してガイド筒に伝達される回転トルクよりも大きくなるように設定されていることを特徴とする請求項１に記載の繰り出し容器のクリック機構。
【請求項３】
封止筒の内周面に係合凹部が形成されているのに対して、ガイド筒の筒部外周面から外方に全周的に突出する周突条の外周面に係合凸部が形成されており、ガイド筒の周突条のうちで、係合凸部の内方に位置する部分に、係合凸部を内方に弾性的に変位可能とするための間隙部が形成されていることを特徴とする請求項１又は２に記載の繰り出し容器のクリック機構。
【発明の詳細な説明】
【技術分野】
【０００１】
本発明は、内容物である棒状の固形物を繰り出し・繰り入れ可能に収容する繰り出し容器に関し、特に、そのような繰り出し容器において、内容物を繰り出す回転操作の際に回転の度合いをクリック感として手に感じさせるような、繰り出し容器のクリック機構に関する。
【背景技術】
【０００２】
棒状化粧品（口紅等）の容器として、容器の外装部と棒状化粧品の保持部とを相対的に回転させることで、棒状化粧品を繰り出し・繰り入れできるような、繰り出し容器と言われる容器が従来から知られており、また、そのような繰り出し容器において、内容物を繰り出す回転操作の際に、回転の度合いをクリック感（カチッと音がするような感じ）として手で感じつつ小刻みに回転させられるようなクリック機構が、下記の特許文献１により従来公知となっている。
【０００３】
すなわち、下記の特許文献１には、「繰り出し回転操作時の回転角度を手で感じられるようにするとともに、不用意に繰り出し操作がされないようにする」ことを目的とする「（イ）中空円筒状をなし基部内周面に第１の螺合片が突設された本体筒と、（ロ）中空円筒状をなし、外周面に前記第１の螺合片が螺合する第１の螺溝が設けられ、先部内周面に第２の螺合片が突設され、前記本体筒との相対回転により本体筒の内部に進退動する螺筒と、（ハ）前記本体筒内に軸線方向へ移動可能で相対回転不能に取り付けられており、先部が棒状化粧料を支持するホルダになっていて、ホルダより基部側が軸部になっていて、この軸部の外周面には前記螺筒の第２の螺合片が螺合し且つ前記第１の螺溝とは逆螺子である第２の螺溝が設けられている中軸、とを備え、前記第１の螺溝と第２の螺溝の少なくともいずれか一方に、その螺溝に螺合する螺合片が所定の抵抗を持って乗り越える突起を、所定のピッチで多数設けた」という構造が開示されている。
【特許文献１】特開平８−３３２１１４号公報
【発明の開示】
【発明が解決しようとする課題】
【０００４】
ところで、上記のような従来公知の繰り出し容器のクリック機構では、繰り出し回転操作の際にクリック感を得るための突起（所定の抵抗を持って乗り越える突起）を、螺筒の外周面に形成された第１の螺溝と中軸の外周面に形成された第２の螺溝の少なくともいずれか一方に設けているが、このようなクリック機構を、筒状体の内周面に螺溝が形成された部品を備えたタイプの容器に適用する場合、合成樹脂の射出成形等により螺溝のある部品を成形した後で、成形品と金型を分離する際に、この螺溝に沿って成形品と金型を相対回転させることで両者を分離することから、この螺溝の溝内に形成される突起では、突起の箇所で金型を無理抜きをする必要があって、そのため、突起の高さを充分に確保できないという問題がある。
【０００５】
本発明は、上記のような問題の解消を課題とするものであり、具体的には、繰り出し容器のクリック機構について、部品を成形する上で問題なく、突起の高さを充分に確保できて、繰り出し回転操作の際に充分なクリック感が得られるようにするということを課題とするものである。
【課題を解決するための手段】
【０００６】
本発明は、上記のような課題を解決するために、棒状の内容物を保持する筒状の受筒の外周面にピンが突設され、受筒の外側に、受筒のピンを貫通させるガイド孔を下部に形成したガイド筒が設けられ、ガイド筒の下部の外側に、受筒のピンを受け入れるネジ溝を内周面に形成したネジ筒が設けられ、ネジ筒の外側に外装体が設けられ、外装体の上端部に封止筒が固着されることで容器本体が構成されている繰り出し容器において、所定の抵抗を持って乗り越えるように係合する係合凸部と係合凹部とが、その何れか一方がガイド筒の外周面側に、また、他方が封止筒の内周面側に、それぞれ形成されていることを特徴とするものである。
【発明の効果】
【０００７】
上記のような本発明の繰り出し容器のクリック機構によれば、凸部や凹部の成形が容易なガイド筒の外周面側と封止筒の内周面側とに対して、その一方に係合凸部を、他方に係合凹部を形成していることから、ガイド筒や封止筒を成形する上で問題なく、係合凸部の高さや係合凹部の深さを充分に確保することができて、繰り出し回転操作の際に充分なクリック感を得ることができる。また、クリック機構がガイド筒と封止筒とに渡って設けられ、且つ、クリック機構がストッパー機構の働きをすることで、封止筒が固着された外装体に対してガイド筒が不用意に回転するのを確実に防止することができる。
【発明を実施するための最良の形態】
【０００８】
繰り出し容器のクリック機構について、部品を成形する上で問題なく、突起の高さを充分に確保できて、繰り出し回転操作の際に充分なクリック感が得られるようにするという目的を、最良の形態として以下の実施例に具体的に示すように、棒状の内容物を保持する筒状の受筒の外周面にピンが突設され、受筒の外側に、受筒のピンを貫通させるガイド孔を下部に形成したガイド筒が設けられ、ガイド筒の下部の外側に、受筒のピンを受け入れるネジ溝を内周面に形成したネジ筒が設けられ、ネジ筒の外側に外装体が設けられ、外装体の上端部に封止筒が固着されることで容器本体が構成されている繰り出し容器において、所定の抵抗を持って乗り越えるように係合する係合凸部と係合凹部とを、その何れか一方をガイド筒の外周面側に、また、他方を封止筒の内周面側に、それぞれ形成する、ということで実現した。
【実施例】
【０００９】
本実施例の繰り出し容器は、棒状化粧品（口紅等）のような棒状の固形物を内容物とするもので、図１に示すように、本実施例の繰り出し容器１は、棒状の内容物（図示せず）を保持するための筒状の受筒３と、受筒３の外側に設けられるガイド筒４と、ガイド筒４の下部の外側に設けられるネジ筒５と、ネジ筒５の外側に設けられる外装体６と、外装体６の上端部に固着される封止筒７とからなる容器本体２に対して、容器本体２の封止筒７との螺合によりキャップ８が装着されるものである。なお、キャップ８には、その天板部の内面（下面）に、別体のシール部材９が一体的に付設されている。
【００１０】
上記のような各部品からなる本実施例の繰り出し容器は、合成樹脂材料により形成されたものであって、容器の外殻部分である外装体６とキャップ８は、比較的硬質なポリプロピレン樹脂から形成され、封止筒７も、外装体６に溶着し易いように、外装体６と同様のポリプロピレン樹脂から形成されている。一方、キャップ８に付設されるシール部材９は、ポリプロピレン樹脂よりも軟質な低密度ポリエチレンから形成されており、また、受筒３とガイド筒４とネジ筒５は、強度や摺動特性に優れたポリアセタール樹脂等から形成されている。
【００１１】
繰り出し容器の各部品の構造について説明すると、容器本体２の受筒３には、棒状の内容物を保持するための円板状の台座３１が筒内に形成されていて、台座３１には、図３に示すように、内容物充填用の充填口３２が台座３１の中央に開口され、内容物係止用の爪部３３が、それぞれ外方且つ上方に突出するように、充填口３２の周縁部に等間隔で４箇所に形成され、充填口３２よりも面積の小さいガス抜き用の開口部３４が、台座３１の外周部に等間隔で４箇所に形成されている。
【００１２】
また、受筒３には、図３に示すように、台座３１よりも上方で受筒３の内周面に、周方向に延びる内容物係止用のリブ３５が等間隔で４箇所に形成され、受筒３の下部の外周面に、外方に突出するピン３６が対称位置で２箇所に突設されていて、このピン３６は、図１に示すように、ガイド筒４のガイド孔４５を貫通してネジ筒５のネジ溝５１に受け入れられている。なお、受筒３の上端部の外周面には、図６に示すように、ガイド筒４の内周面と密接するシール突起３７が環状に形成されている。
【００１３】
受筒３の外側に設けられるガイド筒４は、図４に示すように、周突条４４が形成された中間筒部４２と、中間筒部４２よりも上方に延びる上部筒部４１と、中間筒部４２よりも下方に延びる下部筒部４３とからなり、周突条４４は、中間筒部４２の外周面から外方に全周的に突出するように形成されている。そして、受筒３のピン３６を貫通させるためのガイド孔４５が、ガイド筒４の下端から周突条４４の下方付近に至る範囲にまで連続するように、下部筒部４３に対称位置で２箇所に形成されている。
【００１４】
ガイド筒４の各部分について、上部筒部４１と中間筒部４２の内径は略同じであるが、それらよりも下部筒部４３の内径は大きくなっており、一方、中間筒部４２と下部筒部４３の外径は略同じであるが、上部筒部４１の外径はそれらよりも小さい小外径部となっていて、中間筒部４２の厚さは、上部筒部４１や下部筒部４３の厚さよりも厚くなっている。
【００１５】
ガイド筒４の下部の外側に設けられるネジ筒５には、図５に示すように、その内周面に、受筒３の２つのピン３６をそれぞれ受け入れるための２条のネジ溝５１が形成されており、また、その外周面には、図示していないが、外装体６の内周面の係止突条と係合して外装体６に対して周方向で不動となるように、縦方向（容器軸線方向）に延びる多数のローレット溝が形成されている。
【００１６】
ネジ筒５の外側に設けられる外装体６は、図１に示すように、ネジ筒５の外周側に位置する胴部６１と、受筒３やガイド筒４やネジ筒５を支持する底部６２とを有するもので、外装体６の胴部６１の内周面には、図示していないが、ネジ筒５の外周面のローレット溝と係合する係止突条が６箇所に形成されており、外装体６の底部６２の中央部には、内容物を充填するための開口部６３が開口されている。この開口部６３は、内容物を充填した後で、アルミ箔を主体とするシート蓋によってシールされることとなる。
【００１７】
外装体６の上端部に設けられる封止筒７は、外装体６の胴部６１の上端部に超音波溶着等により固着されるものであって、図６に示すように、封止筒７では、下筒部７２の上端から上方且つ内方にずれた状態で上筒部７１が接続されており、下筒部７２の外周面から外方に突出するように、外装体６の上端面に溶着される環状の凸部７３が形成されていて、上筒部７１の外周面にはネジ部（雄ネジ）７４が形成され、下筒部７２の外周面で環状凸部７３の上方には環状溝７５が形成されている。この環状溝７５は、容器の不使用時にキャップ８が緩むのを防止するために、キャップ８のネジ部８３の下方に形成された突起８４を係止するものである。
【００１８】
また、封止筒７には、上筒部７１の内周面側から下方に延びるように、上筒部７１の内周面よりも内方に突出した内周面を有する密封リング７６が一体的に形成されている。この密封リング７６の外周面は、下筒部７２の内周面から離隔されており、密封リング７６と下筒部７２の間（密封リング７６の外方に位置する封止筒７の部分）には空隙部７７が形成されていて、この空隙部７７により、密封リング７６は容器半径方向で外方に容易に弾性変形できるようになっている。
【００１９】
密封リング７６の内周面は、ガイド筒４の周突条４４の上方で、ガイド筒４の中間筒部４２の略垂直な筒状の外周面と密接するように形成されている。ガイド筒４と密封リング７６の密接箇所は、密封リング７６と下筒部７２との間の空隙部７７を介して、封止筒７の環状溝７５の裏側付近に位置するようになっていて、この密接箇所は、容器軸線方向（上下方向）で見て、封止筒７とキャップ８とが重なる範囲に位置している。
【００２０】
そのように封止筒７の内周面に密封リング７６が形成されていることで、封止筒７とガイド筒４との密封性を充分に確保できると共に、密封リング７６とガイド筒４との密接による抵抗によりガイド筒４が外装体６に対して不用意に回転することをより確実に防止することができる。また、ガイド筒４の周突条４４の上方に封止筒７の密封リング７６が位置していることで、ガイド筒４を上方へ動かしても、周突条４４の上面と密封リング７６の下端とが当接するためで、ガイド筒４が抜けるのを防止することができる。
【００２１】
容器本体２の封止筒７に係合されるキャップ８では、図１に示すように、円板状の天板部８１の周縁部からスカート部８２が垂下されていて、天板部８１の内面（下面）の外周部には、スカート部８２の内周面から少し離れた箇所に、シール部材９を位置決めするための突起８５が形成されている。また、スカート部８２の下部の内周面には、図６に示すように、封止筒７のネジ部（雄ネジ）７４と螺合するネジ部（雌ネジ）８３が形成され、ネジ部８３の下方に、封止筒７の環状溝７５に係止される係止突起８４が周方向に等間隔で４箇所に形成されている。
【００２２】
キャップ８に付設されるシール部材９では、円板部９１の周縁部から下方に円筒状の周壁上部９２が延び、キャップ８のスカート部８２から内方に隔離された周壁上部９２の下端から下方外方にテーパー状の周壁下部９３が延びていて、円筒状の周壁上部９２の下端部の内周面には、ガイド筒４の上端付近の外周面に密接される環状突条９４が形成され、テーパー状の周壁下部９３の下端は、キャップ８のスカート部８２の内周面に当接している。なお、シール部材９の環状突条９４がガイド筒４の外周面に密接する箇所は、ガイド筒４の上端から２〜７ｍｍ下方の範囲となっている。
【００２３】
キャップ８とシール部材９は、ホットメルト接着剤等により固着されている。具体的には、シール部材９の円板部９１の外面（上面）には、平面視で半円状のリブが同心円上に複数個形成されており、キャップ８の天板部８１内面（下面）の中央部付近にホットメルト接着剤を塗布し、位置決め用突起８５の内周縁にシール部材９の円板部９１の外周縁を嵌め込むようにシール部材９の円板部９１をキャップ８の天板部８１に押し当てることで、ホットメルト接着剤がシール部材９の円板部９１の半円状リブの隙間を流動して、キャップ８とシール部材９とは強固に接着されることとなる。
【００２４】
上記のような各部品からなる繰り出し容器の使用状態について説明すると、内容物を使用する際には、先ず、容器本体２に対してキャップ８を開栓方向に回転させ、容器本体２とキャップ８との螺合を解除することで、図２に示すように、キャップを取り外した状態にした後、次いで、ガイド筒４に対して外装体６を周方向に回転させ、外装体６と（ローレット溝に係合により）周方向で不動に固定されたネジ筒５を回転させて、ガイド筒４のガイド孔４５を貫通させた受筒３のピン３６を、回転するネジ筒５のネジ溝５１により押し上げ、ガイド筒４のガイド孔４５に沿って上昇させることで、受筒３を上昇させて、受筒３の台座３１に保持された内容物を上昇させ、ガイド筒４の上端から内容物を突出させて、内容物が使用可能な状態となるようにする。
【００２５】
また、内容物を使用した後は、上記の手順とは逆の手順を行う、即ち、先ず、ガイド筒４に対して外装体６を逆方向に回転させて、突出した内容物をガイド筒４の内部に下降させた後、次いで、容器本体２にキャップ８を被せて、キャップ８を閉栓方向に回転させ、容器本体２とキャップ８を螺合して、容器本体２にキャップ８を装着することにより、内容物を使用する前の状態となるようにする。
【００２６】
ところで、上記のような繰り出し容器において、ガイド筒４には、その周突条４４の外周面に、係合凸部４４ａが周方向に等間隔で３箇所に形成されている。この係合凸部４４ａは、クリック機構のストッパーとして働くものであって、本実施例では、その高さ（周突条４４の外周面から係合凸部４４ａの頂点までの距離）は０．１〜０．５ｍｍの範囲に設定されている。
【００２７】
また、係合凸部４４ａの内方に位置する周突条４４の部分には、図６および図７に示すように、係合凸部４４ａを内方に弾性的に変位可能とするための間隙部４４ｂが形成されている。この間隙部４４ｂは、周方向（ガイド筒４の円周方向）に略一定の長さで、周突条４４を縦方向（容器軸線方向）に貫通していて、本実施例では、その容器半径方向の幅は０．４〜０．８ｍｍの範囲に、その周方向の長さは５〜１５ｍｍの範囲に、それぞれ設定されている。
【００２８】
これに対して、封止筒７の下筒部７２の内周面には、少なくともガイド筒４の周突条４４と対向する部分に、図７に示すように、縦方向（容器軸線方向）に延びる係合凹部７８が、周方向で小さな間隔をおいて多数形成されている。この係合凹部７８は、クリック機構のストッパーとして働くものであって、本実施例では、その深さ（下筒部７２の内周面から係合凹部７８の底面までの距離）は０．１〜０．５ｍｍの範囲に設定されている。
【００２９】
上記のような係合凸部４４ａと係合凹部７８は、ガイド筒４と外装体６とを相対回転させることでガイド筒４の上端から内容物を突出させる本実施例の繰り出し容器で、繰り出し回転操作の際にクリック感を得るためのクリック機構を構成するものであって、外装体６に固着された封止筒の多数の係合凹部７８の何れかに、ガイド筒４の周突条４４の外周面に形成された係合凸部４４ａが、乗り越え可能な状態で係合することとなる。
【００３０】
なお、本実施例では、封止筒７の下筒部７２の内周面の上部から下端まで縦方向（容器軸線方向）に係合凹部７８を延在させているが、そのようにすることで、係合凸部４４ａを有するガイド筒４が上下方向（容器軸線方向）で多少変位しても、係合凸部４４ａと係合凹部４４ｂとの係合を維持することができる。
【００３１】
上記のようなガイド筒４の係合凸部４４ａと封止筒７の係合凹部７８とによるクリック機構は、外装体６（および封止筒７）に対してガイド筒４を不用意に回転させないストッパー機構として働くものであると共に、繰り出し回転操作として所定の回転トルクを与えることで外装体６（および封止筒７）とガイド筒４４とを相対回転させる際に、ガイド筒４の係合凸部４４ａが封止筒７の係合凹部７８を所定の抵抗感を持って乗り越えることで、回転の度合いをクリック感（カチッと音がするような感じ）として手で感じつつ小刻みに回転させることができるものである。
【００３２】
なお、本実施例のクリック機構では、係合凸部４４ａと係合凹部７８とを所定の抵抗を持って乗り越えさせることでガイド筒４と封止筒７とを相対回転させるときの回転トルクが、キャップ８を開閉する際にキャップ８からシール部材９の環状突条９４を介してガイド筒４に伝達される回転トルクよりも大きくなるように設定されている。
【００３３】
上記のような本実施例の繰り出し容器のクリック機構によれば、凸部や凹部の成形が容易なガイド筒７の外周面側と封止筒７の内周面側とに対して、その一方に係合凸部４４ａを、他方に係合凹部７８を形成していることから、ガイド筒４や封止筒７の成形上で問題なく、係合凸部４４ａの高さや係合凹部７８の深さを充分に確保することができて、繰り出し回転操作の際に充分なクリック感を得ることができる。また、ガイド筒４と封止筒７とに渡って設けられたクリック機構は、両者の間のストッパー機構としても働くことから、封止筒７が固着された外装体６に対してガイド筒４が不用意に回転するのを確実に防止することができる。
【００３４】
また、本実施例のクリック機構では、係合凸部４４ａと係合凹部７８とが所定の抵抗を持って乗り越えるようにガイド筒４と封止筒７とを相対回転させるときの回転トルクが、キャップ８の開閉時にシール部材９の環状突条９４を介してガイド筒４に伝達される回転トルクよりも大きくなるように設定されていることから、キャップ８の開閉時に、キャップ８の回転力がシール部材９の環状突条９４を介してガイド筒４に伝達されたとしても、クリック機構での抵抗力により、外装体６に対してガイド筒４が相対回転するのを確実に防止することができる。
【００３５】
なお、仮に、係合凸部４４ａと係合凹部７８とが所定の抵抗を持って乗り越えるようにガイド筒４と封止筒７とを相対回転させるときの回転トルクが、キャップ８の開閉時にシール部材９の環状突条９４を介してガイド筒４に伝達される回転トルクよりも小さいと、キャップ８の閉栓時に、キャップ８の回転に連動してガイド筒４が回転することとなり、それに伴って内容物が不用意に上昇し、内容物とキャップの天板下面とが当接して、キャップ８の装着が阻害される虞がある。
【００３６】
さらに、本実施例のクリック機構では、クリック機構を構成する係合凸部４４ａが、ガイド筒４の外周面から外方に突出する周突条４４の外周面に形成され、この周突条４４のうちで係合凸部４４ａの内方に位置する部分に間隙部４４ｂが形成されていることから、ガイド筒４と封止筒７とが相対回転されて係合凸部４４ａが係合凹部７８から乗り上げる（隣り合う係合凹部７８までの間を乗り越える）際に、外方に突出した係合凸部４４ａが内方に引っ込むように弾性的に変位できるため、隣り合う係合凹部７８の間では、係合凸部４４ａがスムーズに乗り越えることができ、また、係合凹部７８の部分では、係合凸部４４ａが外方に突出するように弾性的に復元して係合凹部７８と確実に係合することとなって、その結果、充分なクリック感を得られると共に、ガイド筒４の回転に伴う内容物の繰り出し量の調節を容易に行うことができる。
【００３７】
以上、本発明の繰り出し容器のクリック機構の一実施例について説明したが、本発明は、上記の実施例に示したような具体的な構成にのみ限定されるものではなく、例えば、ガイド筒に設ける係合凸部の数や、封止筒に設ける係合凹部の縦方向の長さなどは適宜に変えても良い等、適宜に設計変更可能なものであることはいうまでもない。
【図面の簡単な説明】
【００３８】
【図１】本発明の一実施例であるクリック機構を備えた繰り出し容器について、容器の全体構造を示す縦断面図。
【図２】図１に示した繰り出し容器でキャップを外した状態を示す側面図。
【図３】図１に示した繰り出し容器の受筒の部分を示す上面図。
【図４】図１に示した繰り出し容器のガイド筒の部分を示す縦断面図。
【図５】図１に示した繰り出し容器のネジ筒の部分を示す縦断面図。
【図６】図１に示した繰り出し容器のクリック機構の部分を拡大して示す縦断面図。
【図７】図６に示したクリック機構の部分のＡ−Ａ線に沿った横断面図。
【符号の説明】
【００３９】
１        繰り出し容器
２        容器本体
３        受筒
４        ガイド筒
５        ネジ筒
６        外装体
７        封止筒
８        キャップ
９        シール部材
３６      ピン
４４      （ガイド筒の）周突条
４４ａ    （ガイド筒の外周面側に設けた）係合凸部
４４ｂ    （周突条の）間隙部
４５      ガイド孔
５１      ネジ溝
７４      （封止筒の）ネジ部
７８      （封止筒の内周面側に設けた）係合凹部
８３      （キャップの）ネジ部
９４      （シール部材の）環状突条
【図１】
2010022461.tif 000003
【図２】
2010022461.tif 000004
【図３】
2010022461.tif 000005
【図４】
2010022461.tif 000006
【図５】
2010022461.tif 000007
【図６】
2010022461.tif 000008
【図７】
2010022461.tif 000009